Podtech/llm-jp-corpus-v4-ja_patent huggingface dataset:
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
所定条件に基づいて動力を発生させる駆動手段と、
前記駆動手段の駆動に基づいて、第１変位、および第１変位とは異なる第２変位を実行することが可能な変位手段と、
前記第１変位および第２変位のうち一方の変位を遅延させ得る変位遅延手段と、を有する可動手段を備えることを特徴とする遊技機。
【請求項２】
前記変位手段による第１変位に連動する第１可動部と、
前記変位手段による第２変位に連動する第２可動部と、を備え、
前記変位遅延手段は、前記第１可動部の動作範囲を制限する制限手段を備え、
前記駆動手段が発動している最中に前記制限手段によって前記第１可動部の動作が制限されたことに応じて前記変位手段が第１変位状態から第２変位状態へ変換されることを特徴とする請求項１に記載の遊技機。
【請求項３】
前記変位手段が前記第２可動部に設けられるとともに、該第２可動部の動作方向を規定する規定手段を備え、
前記変位手段は、
前記第１可動部の動作が前記制限手段によって制限されていない状態では、前記駆動手段の動力に基づいて前記第２可動部に対する特定方向に動作する第１変位を実行することにより前記第１可動部を動作させ、
前記第１可動部が前記制限手段によって制限される動作範囲の限界に達したことに応じて特定方向への動作が制限され、前記規定手段により規定された動作方向に沿って前記第２可動部を追従させて動作する第２変位を実行することを特徴とする請求項２に記載の遊技機。
【請求項４】
前記変位遅延手段は、前記第１可動部を動作させる動力よりも大きく、前記第２可動部を動作させる動力よりも小さい抵抗力を前記第２可動部に対して付与する抵抗力付与手段を備えることを特徴とする請求項２または請求項３に記載の遊技機。
【手続補正書】
【提出日】平成24年9月12日(2012.9.12)
【手続補正１】
【補正対象書類名】明細書
【補正対象項目名】００５９
【補正方法】変更
【補正の内容】
【００５９】
（結果）
ノーザンハイブリダイゼーションの結果を図８Ａに示す。抗生物質非添加の対照群及びｌｉａＲ削除株（ＢＡＢ６:レーン２）、ではｌｉａＩ遺伝子の転写誘導は見られなかった。一方、抗生物質を添加した野生株及びｌｉａＨ削除株（ＢＡＢ２:レーン３）では強い転写誘導が観察された。さらに、ｅｎｄｕｒａｃｉｄｉｎ添加群では、２０００分の１の添加濃度にもかかわらず、ｂａｃｉｔｒａｃｉｎ添加群と同等以上の転写が観察されたことから、ＬｉａＲＳ系によるｌｉａＩＨオペロンの転写誘導はｅｎｄｕｒａｃｉｄｉｎにより顕著に活性化されることが示された。
【手続補正書】
【提出日】平成24年10月11日(2012.10.11)
【手続補正１】
【補正対象書類名】明細書
【補正対象項目名】０００２
【補正方法】変更
【補正の内容】
【０００２】
スピニングリールには、釣り糸をスプールに案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されており、ベールの一端は固定軸カバーに固定されている。ベールの他端は第２支持部材にかしめ固定されている（たとえば、特許文献１参照）。
【手続補正２】
【補正対象書類名】明細書
【補正対象項目名】００３６
【補正方法】変更
【補正の内容】
【００３６】
抜け止め部材８１は、図３、図６及び図１０に示すように、中央部に第１ベール支持部材４０の固定ボルト４７装着用の貫通孔４０ｇと連通する貫通孔８１ａと、両側の一部が切り欠かれ一方側が第１ベール支持部材４０の貫通孔４０ｅ及びキャップ部材８０の注油孔８０ａと連通する２つの切り欠き部８１ｂとを有している。抜け止め部材８１は、外側面８１ｃが第１ベール支持部材４０の略円形の内側面４０ｈに接触するように装着され、かつ、抜け止め部材８１の外側面８１ｃがキャップ部材８０の内側面８０ｆを外側に押圧することによって、キャップ部材８０の外側面８０ｇが貫通孔４０ｅの段差部４０ｆに接触してキャップ部材８０が第１ベール支持部材４０に固定される。ここでは、ラインローラ４１の内周部に潤滑油を注油するときは、外部に露出したキャップ部材８０の注油孔８０ａからラインローラ４１の内周部に潤滑油を注油する。
【手続補正３】
【補正対象書類名】明細書
【補正対象項目名】００４３
【補正方法】変更
【補正の内容】
【００４３】
スプール４は、図２に示すように、ロータ３の第１ロータアーム３１と第２ロータアーム３２との間に配置されており、スプール軸１５の先端にドラグ機構６０を介して装着されている。スプール４は、図２に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。 
【手続補正４】
【補正対象書類名】図面
【補正対象項目名】図３
【補正方法】変更
【補正の内容】
【図３】
2011092047.tif 000001
【手続補正書】
【提出日】平成24年10月11日(2012.10.11)
【手続補正１】
【補正対象書類名】明細書
【補正対象項目名】０００２
【補正方法】変更
【補正の内容】
【０００２】
スピニングリールには、釣り糸をスプールに案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されており、ベールの一端は固定軸カバーに固定されている。ベールの他端は第２支持部材にかしめ固定されている（たとえば、特許文献１参照）。
【手続補正２】
【補正対象書類名】明細書
【補正対象項目名】００４４
【補正方法】変更
【補正の内容】
【００４４】
スプール４は、図２に示すように、ロータ３の第１ロータアーム３１と第２ロータアーム３２との間に配置されており、スプール軸１５の先端にドラグ機構６０を介して装着されている。スプール４は、図２に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、前記可変表示部に特定表示結果が導出表示されたときに遊技者にとって有利な特定遊技状態とするとともに、所定の移行条件が成立したときに該特定遊技状態が終了したのちに通常状態であるときに比べて識別情報の可変表示の表示結果が前記特定表示結果となりやすい特別遊技状態とする遊技機であって、
前記特定遊技状態とするか否かと前記所定の移行条件を成立させるか否かとを表示結果の導出表示以前に決定するとともに、前記特定遊技状態とすると決定する場合に遊技価値が異なる複数種類の特定遊技状態のうちのいずれとするかを決定する事前決定手段と、
前記事前決定手段によって前記所定の移行条件を成立させると決定されたかを報知する報知演出を実行する報知演出実行手段と、
前記報知演出の実行タイミングを、複数種類の実行タイミングの中から選択する実行タイミング選択手段と、を備え、
前記実行タイミング選択手段は、前記事前決定手段によって遊技価値が高い特定遊技状態とすると決定されている場合には、前記事前決定手段によって遊技価値が低い特定遊技状態とすると決定されている場合と比較して、前記報知演出の実行タイミングとして遅い実行タイミングを高い割合で選択する
ことを特徴とする遊技機。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
被加工面の研削、研磨、表面処理、洗浄、バリ取り等の各種加工をする為のバリ取りブラシにおいて、前記バリ取りブラシは、複数本のブラシ片を束ねたブラシ部と、底部が閉塞された筒状の基台とを有し、前記ブラシ片が前記基台の内側面を押圧する為の凸部が前記基台の内底面又は内側面に形成されてあると共に、前記ブラシ部は、接着剤を介して前記基台に固定されてあることを特徴とするバリ取りブラシ。
【請求項２】
凸部は、表面がテーパ状に形成されてあることを特徴とする請求項１に記載のバリ取りブラシ。
【請求項３】
凸部は、基台の底部に配置されたねじであることを特徴とする請求項１に記載のバリ取りブラシ。
【手続補正２】
【補正対象書類名】明細書
【補正対象項目名】０００８
【補正方法】変更
【補正の内容】
【０００８】
上記従来の課題を解決する為に、請求項１の発明は、被加工面の研削、研磨、表面処理、洗浄、バリ取り等の各種加工をする為のバリ取りブラシにおいて、前記バリ取りブラシは、複数本のブラシ片を束ねたブラシ部と、底部が閉塞された筒状の基台とを有し、前記ブラシ片が前記基台の内側面を押圧する為の凸部が前記基台の内底面又は内側面に形成されてあると共に、前記ブラシ部は、接着剤を介して前記基台に固定されてあることを特徴としている。したがって、接着剤が塗付された基台にブラシ部の一端を押し込むことによって、ブラシ部の端部は基台の凸部で分けられて内側面側に押し付けられるため、ブラシ部の基台内におけるブラシ片間の押圧力が増加し、ブラシ片の基台にたいする引っ張り強度が増す。さらに、内側面側に押し付けられる事でブラシ片間の隙間が少なくなり、ブラシ片の端部に接着剤が万遍無く付着するので、さらに引っ張り強度が増し、ブラシ片の抜け止めを確実に行なうことができる。また、凸部が基台の内底面の略中央部に形成されてある場合には、凸部と基台の内側面との距離が略均一になる為、ブラシ部はブラシ片を基台の内側面の全周に亘って略均一に押し付けることができ、加工時の衝撃、振動等にたいして、より耐久性の高いブラシ片の抜け止めを確実に行なうことができる。
【手続補正書】
【提出日】平成24年10月30日(2012.10.30)
【手続補正１】
【補正対象書類名】明細書
【補正対象項目名】０００９
【補正方法】変更
【補正の内容】
【０００９】
さらに、仕切部は、ユニット部材に対して回転動作可能に構成され、回転動作することによりユニット部材に取り付けられた状態で遮光状態または透光状態となるので、仕切部をユニット部材から取り外さずに遮光状態または透光状態とすることができる。よって、ユニット部材を再利用する場合に、装飾体のデザインに合わせて仕切部の遮光状態または透光状態を容易に変更することができるという効果がある。更に、仕切部をユニット部材から取り外さずに遮光状態または透光状態とすることができるので、ユニット部材からの取り外しに伴う仕切部の紛失を防止することができるという効果がある。
【手続補正２】
【補正対象書類名】明細書
【補正対象項目名】００１０
【補正方法】変更
【補正の内容】
【００１０】
請求項２記載の遊技機によれば、請求項１記載の遊技機の奏する効果に加え、仕切部は、透光状態において光源に臨む面が光源からの光を反射可能に形成されると共に装飾体側を向く傾斜面となるので、仕切部が透光状態ではリフレクタとして機能する。よって、仕切部が透光状態では、光源からの光を装飾体側に反射させて、装飾体に設けられる表示部を明るく照明することができるという効果がある。特に、指向性が強く放射角度が大きくなるにつれ光度が低下する発光ダイオード（ＬＥＤ）等により光源を構成する場合には、光源から離れた位置でも表示部を明るく照明することができる。よって、表示部の照明むら（照明の明るさが一様でない状態）を抑制することができる。
【手続補正３】
【補正対象書類名】明細書
【補正対象項目名】００１１
【補正方法】変更
【補正の内容】
【００１１】
請求項３記載の遊技機によれば、請求項１記載の遊技機の奏する効果に加え、仕切部は、遮光状態において光源に臨む面が光源からの光を反射可能に形成されると共に装飾体側を向く傾斜面となるので、仕切部が遮光状態ではリフレクタとして機能する。また、仕切部は、透光状態において光源に臨む面が光源からの光を反射可能に形成されると共に装飾体側を向く傾斜面となるので、仕切部が透光状態ではリフレクタとして機能する。よって、仕切部が遮光状態であっても透光状態であっても、光源からの光を装飾体側に反射させて、装飾体に設けられる表示部を明るく照明することができるという効果がある。特に、指向性が強く放射角度が大きくなるにつれ光度が低下する発光ダイオード（ＬＥＤ）等により光源を構成する場合には、光源から離れた位置でも表示部を明るく照明することができる。よって、表示部の照明むら（照明の明るさが一様でない状態）を抑制することができる。
【手続補正４】
【補正対象書類名】特許請求の範囲
【補正対象項目名】全文
【補正方法】変更
【補正の内容】
【特許請求の範囲】
【請求項１】
透光性を有する表示部が設けられた装飾体と、その装飾体の裏側から前記表示部を照明する光源とを備えた遊技機であって、
前記装飾体の裏側に配設されるユニット部材と、
そのユニット部材に設けられる仕切部とを備え、
その仕切部は、前記ユニット部材に対して回転動作可能に構成され、前記ユニット部材に取り付けられた状態で回転動作することにより、前記光源からの光を遮光して前記光源の照明範囲を制限する遮光状態または前記光源からの光を透光可能として前記照明範囲の制限を解除する透光状態となり得ることを特徴とする遊技機。
【請求項２】
前記仕切部は、前記透光状態において前記光源に臨む面が前記光源からの光を反射可能に形成されると共に前記装飾体側を向く傾斜面となることを特徴とする請求項１記載の遊技機。
【請求項３】
前記仕切部は、前記遮光状態において前記光源に臨む面が前記光源からの光を反射可能に形成されると共に前記装飾体側を向く傾斜面となり、前記透光状態において前記光源に臨む面が前記光源からの光を反射可能に形成されると共に前記装飾体側を向く傾斜面となることを特徴とする請求項１記載の遊技機。
【手続補正書】
【提出日】平成24年9月6日(2012.9.6)
【手続補正１】
【補正対象書類名】明細書
【補正対象項目名】０００７
【補正方法】変更
【補正の内容】
【０００７】
本発明者らは、上記課題を解決するために検討を重ねたところ、
まず、顔料によって染められた素材は次亜塩素酸ナトリウム水溶液にて漂白されないことに着目し、
次に、サンダルやスリッパのような形状ではなく、足の甲全体が被覆された一般のシューズ形状とし、その構成部材の全てを、白色以外の有色染料で染められていない素材で、しかも耐温水性かつ耐次亜塩素酸ナトリウム水溶液性を有する素材にて形成することで、汎用の洗濯機等での数〜数百回の洗浄や次亜塩素酸ナトリウム水溶液の消毒による色落ち、黄ばみ、変形、擦過傷などが発生しない医療従事者用シューズが得られるとの知見を得た。
なお、本明細書において、有色染料とは、水溶性の着色剤（例えば、植物由来の天然染料、合成染料など）を示し、顔料とは、特に色を限定するものではなく、非水溶性の着色剤（例えば、無機顔料、合成顔料など）をさす。
【手続補正書】
【提出日】平成24年10月28日(2012.10.28)
【手続補正１】
【補正対象書類名】特許請求の範囲
【補正対象項目名】全文
【補正方法】変更
【補正の内容】
【特許請求の範囲】
【請求項１】
花器内部に自在に挿入でき、固定時には、底部に位置せしめるための磁性固定体１と、花器固定位置に位置する磁性固定体２もしくは磁性固定面３とを吸着力を生じせしめる花器固定を目的とした花器固定構造体
【請求項２】
請求項１に記載の磁性固定体１の構成が、複数の磁性固定体１同士が、吸着し結合しあって構成された集合磁性固定体１１であることを特徴した請求項１に記載の花器固定構造体
【請求項３】
磁性固定体１が少なくとも1以上の粒状磁性固定体１-１から構成されていることを特徴とした請求項１、２に記載の花器固定構造体
【請求項４】
磁性固定体１が少なくとも以上の複数の粒状磁性固定体１-１から構成、もしくは主として複数の粒状磁性固定体１-１から構成されていることを特徴とした請求項１、２、３に記載の花器固定構造体
【請求項５】
磁性固定体１と磁性固定体２により、磁力吸着せしめる構成であることを特徴とした請求項１、２、３、４に記載の花器固定構造体
【請求項６】
磁性固定体１が概略球状であることを特徴とした請求項１、２、３、４、５に記載の花器固定構造体
【請求項７】
磁性固定体２が２以上複数の磁性固定体２-１からなる複合磁性固定体２１であることを特徴とした請求項５、６に記載の花器固定構造体
【請求項８】
磁性固定体２が概略球状であることを特徴とした請求項１、２、３、４、５、６、７に記載の花器固定構造体
【請求項９】
磁性固定体１もしくは磁性固定体２が樹脂コーティングされていることを特徴とする請求項１、２、３、４、５、６、７、８に記載の花器固定構造体
【請求項１０】
集合磁性固定体１１や集合磁性体２１に両方に用いることが可能であって、磁力を自ら有する粒状形状からなる粒状磁性固定体を用いることを特徴とした請求項１、２、３、４、５、６、７、８、９に記載の花器固定構造体
【請求項１１】
少なくとも磁性固定体１の一部に防腐作用や滅菌作用を有する物質を添加したことを特徴とした請求項１、２、３、４、５、６、７、８、９、10に記載の花器固定構造体
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
寝台に載置された被検体にＸ線を照射するＸ線源と、前記Ｘ線源に対向配置され前記被検体を透過したＸ線を検出するＸ線検出器と、前記Ｘ線源と前記Ｘ線検出器を搭載し前記被検体の周囲を回転する回転円盤と、前記Ｘ線検出器により検出された透過Ｘ線量に基づき被検体のＣＴ画像を再構成する画像再構成装置と、前記画像再構成装置により再構成されたＣＴ画像を表示する画像表示装置と、を備えたＸ線ＣＴ装置であって、
前記回転円盤を所定角度に保ったまま前記回転円盤の回転軸方向に前記寝台を動かしながら、既知の高さを有する参照物とともに前記被検体の投影像を異なる寝台位置で取得することでスキャノグラム画像を撮影するスキャノグラム撮影部と、
異なる寝台位置で取得した複数の投影像を合成することで前記寝台と平行な面で前記被検体と前記参照物との断層像を作成する画像合成部と、
前記断層像中の前記参照物の画素値に基づき前記被検体の輪郭を推測する輪郭推測部と、をさらに備えることを特徴とするＸ線ＣＴ装置。
【請求項２】
請求項１に記載のＸ線ＣＴ装置であって、
前記画像合成部は、前記寝台からの高さが異なる前記断層像を複数合成することにより立体画像を生成し、
前記輪郭推測部は、前記被検体の立体像の画素値の変化の度合いが前記参照物の高さ方向における画素値の変化の度合いと一致する領域を前記輪郭とすることを特徴とするＸ線ＣＴ装置。
【請求項３】
請求項１または２に記載のＸ線ＣＴ装置であって、
推測された前記輪郭の中心が前記回転円盤の回転中心と一致するように前記寝台の位置を制御する寝台制御部をさらに備えることを特徴とするＸ線ＣＴ装置。
【手続補正２】
【補正対象書類名】明細書
【補正対象項目名】０００９
【補正方法】変更
【補正の内容】
【０００９】
上記の課題を解決するために、本発明は、寝台に載置された被検体にX線を照射するX線源と、前記X線源に対向配置され前記被検体を透過したX線を検出するX線検出器と、前記X線源と前記X線検出器を搭載し前記被検体の周囲を回転する回転円盤と、前記X線検出器により検出された透過X線量に基づき被検体のCT画像を再構成する画像再構成装置と、前記画像再構成装置により再構成されたCT画像を表示する画像表示装置と、を備えたX線CT装置であって、前記回転円盤を所定角度に保ったまま前記回転円盤の回転軸方向に前記寝台を動かしながら、既知の高さを有する参照物とともに前記被検体の投影像を異なる寝台位置で取得することでスキャノグラム画像を撮影するスキャノグラム撮影部と、異なる寝台位置で取得した複数の投影像を合成することで前記寝台と平行な面で前記被検体と前記参照物との断層像を作成する画像合成部と、前記断層像中の前記参照物の画素値に基づき前記被検体の輪郭を推測する輪郭推測部と、をさらに備えることを特徴とする。
【手続補正３】
【補正対象書類名】明細書
【補正対象項目名】００２０
【補正方法】変更
【補正の内容】
【００２０】
図3(a)において、105は、寝台である。130は被検体である。131は、トモシンセシスにおいて、密度の変化を測るための対照とするためのリファレンスで、水が入ったファントムか、アクリル製容器のようなものである(ここでのリファレンスとは、X線吸収係数が一定の物質のことを指す。形状については、特に限定しないが、図3の例では円柱を使用している。また。リファレンスの高さは、被検体の高さより低い方が望ましい。)。132は、スキャノグラム撮影範囲を示す。図3(b)は、寝台の上に載せられた被検体を天井方向から見たものである。×a及び×bは、スキャノグラム撮影範囲を撮影する場合に、菅球の位置が地点a(×a)から地点b(×b)の被検体の真上で動くことを示している。
【手続補正４】
【補正対象書類名】明細書
【補正対象項目名】００３９
【補正方法】変更
【補正の内容】
【００３９】
本実施例のX線CT装置によれば、トモシンセシスと被検体の傍らに配置された参照物として寝台を用い、被検体の輪郭を求めている。より具体的に、前記被検体の輪郭は、トモシンセシスと呼ばれる技術により得られる立体像の画素値の変化度合いが前記参照物の輪郭周辺における画素値の変化度合いに一致する領域を求めることにより、定められる。
【手続補正５】
【補正対象書類名】明細書
【補正対象項目名】００４１
【補正方法】変更
【補正の内容】
【００４１】
上述の実施例1ではリファレンス、実施例2では寝台の厚さ用いて被検体の輪郭情報を求める実施例を示したが、本発明はこれらに限定されるものではない。ここでは実施例3として、X線透過量によって被検体の厚さ情報を得る場合について説明する。実施例3を、図8を用いて説明する。ただし、図8は、本実施例において被検体の厚さを見積もるためのフローチャートである。
【手続補正６】
【補正対象書類名】明細書
【補正対象項目名】００４８
【補正方法】変更
【補正の内容】
【００４８】
本実施例では、実施例1〜3において求めた被検体の輪郭に基づいて、寝台の位置を上下、前後、左右に動かしながらスキャンを行なう実施例である。実施例4を、図10を用いて説明する。ただし、図10は、本実施例においてスキャン撮影を行う手順を示すフローチャートである。
【手続補正７】
【補正対象書類名】明細書
【補正対象項目名】００５４
【補正方法】変更
【補正の内容】
【００５４】
本実施例では、実施例1〜3において求めた被検体の輪郭に基づいて、寝台の位置を上下、前後、左右に動かしながらスキャンを行なう実施例である。実施例5を、図11を用いて説明する。ただし、図11は、本実施例においてスキャン撮影を行う手順を示すフローチャートである。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
貯蔵物を収納する貯蔵室と、冷却器で生成された冷気が流通する冷気通路と、前記貯蔵室の背壁面との間に空間を有して前記貯蔵室内に配された冷却パネルとを備え、前記冷気通路を流通する冷気を前記空間に導入して前記冷却パネルの表面温度を下げることにより前記貯蔵室内を冷却する冷蔵庫において、
光拡散板を有する照明装置を前記貯蔵室の天井面に設け、
前記冷却パネルの表面は金属面であるとともに、前記冷却パネルは前記照明装置の左右方向の幅内に略収まることを特徴とする冷蔵庫。
【請求項２】
前記照明装置の左右方向の幅は前記貯蔵室の左右方向の幅と略同じであることを特徴とする請求項１に記載の冷蔵庫。
【請求項３】
前記冷却パネルは前記貯蔵室の左右方向の中央寄りに配置されることを特徴とする請求項２に記載の冷蔵庫。
【請求項４】
前記冷却パネルは表面が凸に湾曲していることを特徴とする請求項１〜請求項３のいずれかに記載の冷蔵庫。
【請求項５】
前記冷却パネルの前記空間側の面には断熱材が接して設けられていることを特徴とする請求項１〜請求項４のいずれかに記載の冷蔵庫。
【手続補正書】
【提出日】平成24年8月3日(2012.8.3)
【手続補正１】
【補正対象書類名】明細書
【補正対象項目名】発明の名称
【補正方法】変更
【補正の内容】
【発明の名称】偏光性積層フィルム、偏光板または基材フィルム付き偏光板の製造方法
【手続補正２】
【補正対象書類名】特許請求の範囲
【補正対象項目名】全文
【補正方法】変更
【補正の内容】
【特許請求の範囲】
【請求項１】
基材フィルム、および、該基材フィルムの両面に形成された偏光子層を備える両面偏光性積層フィルムの製造方法であって、
前記基材フィルムの両面にポリビニルアルコール系樹脂層を形成して両面積層フィルムを得る樹脂層形成工程と、
前記両面積層フィルムを延伸する延伸工程と、
前記延伸後の両面積層フィルムの両面における前記ポリビニルアルコール系樹脂層を二色性色素で染色し、架橋処理を施すことにより、偏光子層を形成する染色工程とをこの順で含む、両面偏光性積層フィルムの製造方法。
【請求項２】
前記両面積層フィルムの両面のポリビニルアルコール系樹脂層を構成する材料が、同じ材料である、請求項１に記載の両面偏光性積層フィルムの製造方法。
【請求項３】
前記延伸後の両面積層フィルムの両面におけるポリビニルアルコール系樹脂層の厚さの差が３μｍ以下である、請求項１または２に記載の両面偏光性積層フィルムの製造方法。
【請求項４】
前記延伸工程において、５倍超の延伸倍率で延伸する、請求項１〜３のいずれかに記載の両面偏光性積層フィルムの製造方法。
【請求項５】
前記両面偏光性積層フィルムの両面の偏光子層の各々の厚さが１０μｍ以下である、請求項１〜４のいずれかに記載の両面偏光性積層フィルムの製造方法。
【請求項６】
偏光子層、および、該偏光子層の一方の面に形成された保護フィルムを備える偏光板の製造方法であって、
請求項１に記載の製造方法によって得られた両面偏光性積層フィルムの両面に、保護フィルムを貼合して両面貼合フィルムを得る保護フィルム貼合工程と、
前記両面貼合フィルムから、少なくとも１枚の前記偏光板を剥がす剥離工程とをこの順で含む、偏光板の製造方法。
【請求項７】
前記剥離工程において、前記両面貼合フィルムの両面の２枚の偏光板を同時に剥離する、請求項６に記載の偏光板の製造方法。
【請求項８】
前記剥離工程において、前記両面貼合フィルムの一方の面の偏光板を剥離し、次いで、他方の面の偏光板を剥離する、請求項６に記載の偏光板の製造方法。
【請求項９】
偏光子層、該偏光子層の一方の面に形成された保護フィルム、および、該偏光子層の一方の面に貼合された基材フィルムを備える、基材フィルム付き偏光板の製造方法であって、
請求項１に記載の製造方法によって得られた両面偏光性積層フィルムの両面に、保護フィルムを貼合して両面貼合フィルムを得る保護フィルム貼合工程と、
前記両面貼合フィルムから、前記基材フィルム付き偏光板を剥がす剥離工程とをこの順で含む、基材フィルム付き偏光板の製造方法。
【請求項１０】
偏光子層、および、該偏光子層の一方の面に形成された保護フィルムを備える偏光板の製造方法であって、
請求項１に記載の製造方法によって得られた両面偏光性積層フィルムの一方の面に、保護フィルムを貼合して片面貼合フィルムを得る保護フィルム貼合工程と、
前記片面貼合フィルムから、前記偏光板を剥がす剥離工程とをこの順で含む、偏光板の製造方法。
【請求項１１】
基材フィルム、および、該基材フィルムの一方の面に形成された偏光子層を備える片面偏光性積層フィルムの製造方法であって、
請求項１に記載の製造方法によって得られた両面偏光性積層フィルムの一方の面に、保護フィルムを貼合して片面貼合フィルムを得る保護フィルム貼合工程と、
前記片面貼合フィルムから、前記片面偏光性積層フィルムを剥がす剥離工程とをこの順で含む、片面偏光性積層フィルムの製造方法。
【手続補正書】
【提出日】平成24年7月24日(2012.7.24)
【手続補正１】
【補正対象書類名】明細書
【補正対象項目名】０１４６
【補正方法】変更
【補正の内容】
【０１４６】
すなわち、２個のチオ硫酸イオンＳ２Ｏ３とゼラチン６４中の銀イオン（ＡｇＢｒからの銀イオン）が、チオ硫酸銀錯体を生成する。チオ硫酸銀錯体は水溶性が高いのでゼラチン６４中から溶出されることになる。その結果、現像銀６８が金属銀部７０として定着されて残ることになる。この金属銀部７０にてメッシュパターンＭが構成されることになる。
【手続補正２】
【補正対象書類名】明細書
【補正対象項目名】０２３８
【補正方法】変更
【補正の内容】
【０２３８】
１０…製造装置                        １２…画像処理装置
１４…導電性フイルム                  １６…光
１８…露光部                          ２０…入力部
２４…記憶部                          ２８…初期位置選択部
３０…更新候補位置決定部              ３２…露光データ変換部
３６…画像情報推定部                  ３８…画像データ作成部
４０…メッシュ模様評価部              ４２…データ更新指示部
５０…導電部                          ５２…開口部
５４…金属細線                        ５６…透明フイルム基材
５７…フィルタ部材                    ５９…ブラックマトリクス
６０…単位画素                        ６２…ハロゲン化銀
６４…ゼラチン                        ６６…銀塩感光層
６８…現像銀                          ７０…金属銀部
７２…透光部                          ７４…導電性金属
７５…銅箔                            ７６…フォトレジスト膜
７８…レジストパターン                ８０…ペースト
８２…金属めっき                      ８４…金属薄膜
１００…ＦＦＴ演算部                  １０２…評価値算出部
１０８…カウンタ                      １１０…擬似温度管理部
１１２…更新確率算出部                １１４…位置更新判定部
１１６…出力用画像データ決定部        １２０…設定画面
１２２、１２６…プルダウンメニュー    １２４、１２８…表示欄
１３０、１３２、１３４、１３６、１３８、１４０、１４２…テキストボックス
１４４、１４６…ボタン                ２００、２０２…二次元画像領域
Ｉｍｇ、ＩｍｇＩｎｉｔ…画像データ    Ｉｍｇｃ…重心画像データ
ＩｍｇＯｕｔ…出力用画像データ        Ｍ…メッシュパターン
ＰＴ１〜ＰＴ３…パターン              ＳＤ…シード点
ＳＤｄ、ＳＤＮｄ、ＳＤＳｄ、ＳＰｄ…位置データ
ＳＤＮ…第１シード点                  ＳＤＳ…第２シード点
ＳＰ…候補点                          Ｓｐｃ…スペクトル
Ｓｐｃｃ…重心スペクトル
【手続補正書】
【提出日】平成24年7月24日(2012.7.24)
【手続補正１】
【補正対象書類名】明細書
【補正対象項目名】０１２８
【補正方法】変更
【補正の内容】
【０１２８】
次いで、メッシュ模様評価部４０は、画像データＩｍｇＴｅｍｐに基づいて、評価値ＥＶＰＴｅｍｐを算出する（ステップＳ２６４）。ステップＳ２３（図１０参照）の場合と同一の方法を用いるので、説明を割愛する。
【手続補正２】
【補正対象書類名】明細書
【補正対象項目名】０１５４
【補正方法】変更
【補正の内容】
【０１５４】
すなわち、２個のチオ硫酸イオンＳ２Ｏ３とゼラチン６４中の銀イオン（ＡｇＢｒからの銀イオン）が、チオ硫酸銀錯体を生成する。チオ硫酸銀錯体は水溶性が高いのでゼラチン６４中から溶出されることになる。その結果、現像銀６８が金属銀部７０として定着されて残ることになる。この金属銀部７０にてメッシュパターンＭが構成されることになる。
【手続補正３】
【補正対象書類名】明細書
【補正対象項目名】０２３２
【補正方法】変更
【補正の内容】
【０２３２】
図２４Ａに示すように、正弦波状の複数の配線からなるメッシュパターンＭ２は、縦縞状である。これらの正弦波は、互いに交叉することなく上下方向に平行して進行しているが、中心線の離間距離、正弦波の振幅・位相がそれぞれ異なっている。例えば、これらの値は、一様分布に従ってランダムに定められている。
【手続補正４】
【補正対象書類名】明細書
【補正対象項目名】０２３３
【補正方法】変更
【補正の内容】
【０２３３】
図２５Ａに示すように、不規則に配置された配線からなるメッシュパターンＭ３は、ランダムな形状である。このメッシュパターンＭ３は、本実施の形態で説明したＳＡ法（図１０等参照）を用いて実際に得られた模様である。
【手続補正５】
【補正対象書類名】明細書
【補正対象項目名】０２５０
【補正方法】変更
【補正の内容】
【０２５０】
１０…製造装置                        １２…画像処理装置
１４…導電性フイルム                  １６…光
１８…露光部                          ２０…入力部
２４…記憶部                          ２８…初期位置選択部
３０…更新候補位置決定部              ３２…露光データ変換部
３６…画像情報推定部                  ３８…画像データ作成部
４０…メッシュ模様評価部              ４２…データ更新指示部
５０…導電部                          ５２…開口部
５４…金属細線                        ５６…透明フイルム基材
５８…透明発熱体                      ６２…ハロゲン化銀
６４…ゼラチン                        ６６…銀塩感光層
６８…現像銀                          ７０…金属銀部
７２…透光部                          ７４…導電性金属
７５…銅箔                            ７６…フォトレジスト膜
７８…レジストパターン                ８０…ペースト
８２…金属めっき                      ８４…金属薄膜
１００…ＦＦＴ演算部                  １０２…第１評価値算出部
１０４…第２評価値算出部              １０６…重み付け加算部
１０８…カウンタ                      １１０…擬似温度管理部
１１２…更新確率算出部                １１４…位置更新判定部
１１６…出力用画像データ決定部        １２０…設定画面
１２２、１２６…プルダウンメニュー    １２４、１２８…表示欄
１３０、１３２、１３４、１３６、１３８、１４０、１４２…テキストボックス
１４４、１４６…ボタン                ２００…二次元画像領域
Ｉｍｇ、ＩｍｇＩｎｉｔ…画像データ    ＩｍｇＯｕｔ…出力用画像データ
Ｍ、Ｍ１〜Ｍ３…メッシュパターン      ＳＤ…シード点
ＳＤｄ、ＳＤＮｄ、ＳＤＳｄ、ＳＰｄ…位置データ
ＳＤＮ…第１シード点                  ＳＤＳ…第２シード点
ＳＰ…候補点                          Ｓｐｃ…スペクトル
【手続補正書】
【提出日】平成24年7月24日(2012.7.24)
【手続補正１】
【補正対象書類名】明細書
【補正対象項目名】０１５５
【補正方法】変更
【補正の内容】
【０１５５】
すなわち、２個のチオ硫酸イオンＳ２Ｏ３とゼラチン６４中の銀イオン（ＡｇＢｒからの銀イオン）が、チオ硫酸銀錯体を生成する。チオ硫酸銀錯体は水溶性が高いのでゼラチン６４中から溶出されることになる。その結果、現像銀６８が金属銀部７０として定着されて残ることになる。この金属銀部７０にてメッシュパターンＭが構成されることになる。
【手続補正２】
【補正対象書類名】明細書
【補正対象項目名】０２３６
【補正方法】変更
【補正の内容】
【０２３６】
ここで、メッシュパターンＭ２の模様（各開口部５２）が横長の形状を有する根拠は以下のように推測される。例えば、図２Ｂに示すブラックマトリクス５９の単位画素６０の形状を正方形と仮定する。赤色フィルタ５８ｒ、緑色フィルタ５８ｇ、青色フィルタ５８ｂが左右方向に配設されることで、単位画素６０が１／３の領域に区画され、高空間周波数成分のノイズ粒状度が増加する。一方、上下方向には、遮光材６１ｈの配設周期に相当する空間周波数成分のみ存在し、それ以外の空間周波数成分がないため、この配設周期の視認性を低減するようにメッシュパターンＭ２の模様が決定される。すなわち、左右方向に延在する各配線は、その間隔がなるべく狭くなるように、且つ、各遮光材６１ｈの間に規則的に配置されるように決定される。
【手続補正３】
【補正対象書類名】明細書
【補正対象項目名】０２５１
【補正方法】変更
【補正の内容】
【０２５１】
１０…製造装置                        １２…画像処理装置
１４…導電性フイルム                  １６…光
１８…露光部                          ２０…入力部
２４…記憶部                          ２８…初期位置選択部
３０…更新候補位置決定部              ３２…露光データ変換部
３６…画像情報推定部                  ３８…画像データ作成部
４０…メッシュ模様評価部              ４２…データ更新指示部
５０…導電部                          ５２…開口部
５４…金属細線                        ５６…透明フイルム基材
５７…フィルタ部材                    ５９…ブラックマトリクス
６０…単位画素                        ６２…ハロゲン化銀
６４…ゼラチン                        ６６…銀塩感光層
６８…現像銀                          ７０…金属銀部
７２…透光部                          ７４…導電性金属
７５…銅箔                            ７６…フォトレジスト膜
７８…レジストパターン                ８０…ペースト
８２…金属めっき                      ８４…金属薄膜
１００…ＦＦＴ演算部                  １０２…評価値算出部
１０８…カウンタ                      １１０…擬似温度管理部
１１２…更新確率算出部                １１４…位置更新判定部
１１６…出力用画像データ決定部        １２０、１６０…設定画面
１２２、１２６…プルダウンメニュー    １２４、１２８…表示欄
１３０、１３２、１３４、１３６、１３８、１４０、１４２、１６４、１６６、１６８、１７０、１７２、１７４…テキストボックス
１４４、１４６、１７８、１８０、１８２…ボタン
１７６…マトリクス状の画像            ２００…二次元画像領域
Ｉｍｇ、ＩｍｇＩｎｉｔ、ＩｍｇＴｅｍｐ…画像データ
ＩｍｇＩｎｉｔ’ 、ＩｍｇＴｅｍｐ’…重畳画像データ
ＩｍｇＯｕｔ…出力用画像データ
Ｍ…メッシュパターン                  ＳＤ…シード点
ＳＤｄ、ＳＤＮｄ、ＳＤＳｄ、ＳＰｄ…位置データ
ＳＤＮ…第１シード点                  ＳＤＳ…第２シード点
ＳＰ…候補点                          Ｓｐｃ、Ｓｐｃｖ…スペクトル
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
ケーブルを介して入力端子に入力されたオーディオ信号を出力するヘッドホン装置において、
内部が空洞を形成し、前方に前後に貫通する孔を備える凸部を備え、後方に開口した孔を備え、内壁に固定部を備えるハウジングと、
内部が空洞を形成し、前方に貫通する孔を備え、後方に前後に貫通する孔を備え、前記ハウジングに対してスライド可能に成される後部と、
内部にリード線を備え、一端に入力端子を備え、当該入力端子を備える一端の他端が前記後部の前記後方に前後に貫通する孔を介して前記後部の内部に挿入されるケーブルと、
前記固定部に固着し前記ケーブルの前記リード線に電気的に接続し前記入力端子が入力したオーディオ信号を放音する振動板を有するドライバーユニットとを備え、
前記後部の前方に備える孔は、前記ハウジングの前方に備える孔と略同一の位置に配設されていることを特徴とするヘッドホン装置。
【請求項２】
請求項１記載のヘッドホン装置において、
前記ハウジングの前方に備える孔の内径は、前記後部の前方に備える孔の内径と略同一であることを特徴とするヘッドホン装置。
【請求項３】
請求項１または２記載のヘッドホン装置において、
前記ハウジングの前方に備える孔及び前記後部の前方に備える孔は多角形の形状であることを特徴とするヘッドホン装置。
【手続補正２】
【補正対象書類名】明細書
【補正対象項目名】０００９
【補正方法】変更
【補正の内容】
【０００９】
このように、従来のヘッドホン装置においては、前部の孔の内径によって使用者に伝達するオーディオ信号の周波数帯域が大きく変化するため、ヘッドホン装置をデザインする段階においては、より最適な周波数特性で使用者がオーディオ信号を聴取できるように、ドライバーユニット７が放音するオーディオ信号の周波数帯域と前部の孔の内径を入念に設定することがなされている。しかしながら、このようにオーディオ信号の周波数帯域と前部の孔の内径を入念に設定しても、高域の周波数帯域が強調されたオーディオ信号を好む使用者がいたり、また、低域の周波数帯域が強調されたオーディオ信号を好む使用者もいるため、あらゆる使用者の好みに合致したヘッドホン装置を提供することが困難となっている。
【手続補正３】
【補正対象書類名】明細書
【補正対象項目名】００１１
【補正方法】変更
【補正の内容】
【００１１】
本願の請求項１記載の発明は、
ケーブルを介して入力端子に入力されたオーディオ信号を出力するヘッドホン装置において、内部が空洞を形成し、前方に前後に貫通する孔を備える凸部を備え、後方に開口した孔を備え、内壁に固定部を備えるハウジングと、内部が空洞を形成し、前方に貫通する孔を備え、後方に前後に貫通する孔を備え、前記ハウジングに対してスライド可能に成される後部と、内部にリード線を備え、一端に入力端子を備え、当該入力端子を備える一端の他端が前記後部の前記後方に前後に貫通する孔を介して前記後部の内部に挿入されるケーブルと、前記固定部に固着し前記ケーブルの前記リード線に電気的に接続し前記入力端子が入力したオーディオ信号を放音する振動板を有するドライバーユニットとを備え、前記後部の前方に備える孔は、前記ハウジングの前方に備える孔と略同一の位置に配設されていることを特徴とする。
【手続補正４】
【補正対象書類名】明細書
【補正対象項目名】００２３
【補正方法】変更
【補正の内容】
【００２３】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２がハウジング２の溝部２０３にはめ込まれることによってハウジング２の前方に保持された状態となる。
【手続補正書】
【提出日】平成24年1月24日(2012.1.24)
【手続補正１】
【補正対象書類名】特許請求の範囲
【補正対象項目名】請求項１
【補正方法】変更
【補正の内容】
【請求項１】
水晶振動片を有する水晶デバイスの製造方法において、
前記水晶振動片の表裏面に形成される電極と、前記水晶振動片を囲むようにして形成された枠体とを含む水晶フレームを複数有する水晶ウエハを用意する工程と、
前記枠体の一方の面に接合するベースを複数有するベースウエハを用意する工程と、
前記枠体の他方の面に接合し、接合した際に前記電極に重なる位置に形成された開口部を含む第１リッドを複数有する第１リッドウエハを用意する工程と、
前記第１リッドウエハと同じ大きさのウエハであり、前記第１リッドウエハに接合し前記開口部を封止する第２リッドウエハを用意する工程と、
前記水晶ウエハ、前記ベースウエハおよび前記第１リッドウエハを接合する第１接合工程と、
前記第１接合工程後に前記水晶振動片の振動周波数を測定し、この測定結果に基づいて前記開口部を介して前記電極の厚みを調整する調整工程と、
前記調整工程後に、前記第２リッドウエハを前記第１リッドウエハに接合する第２接合工程と、
前記水晶ウエハ、前記ベースウエハ、前記第１リッドウエハおよび前記第２リッドウエハが接合した状態で、個々の前記水晶デバイスに分割する工程と、
を備えた水晶デバイスの製造方法。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
第１トップ部及び前記第１トップ部から延長された脚部を有する第１リード；
前記第１リードから離隔して配置され、前記第１リードのトップ部に隣接した第２トップ部及び前記第２トップ部から延長された脚部を有する第２リード；
前記第１及び第２トップ部のうち少なくとも一つから離隔され、前記第１トップ部に隣接して配置された第３トップ部；
前記第１トップ部上に搭載された発光ダイオード；
前記発光ダイオードと前記第２トップ部とを連結するボンディングワイヤー；及び
前記発光ダイオード、前記第１乃至第３トップ部を取り囲む透明封止材を含む発光ダイオードランプ。
【請求項２】
前記第１及び第２トップ部のうち少なくとも一つと前記第３トップ部とを熱的に結合する熱結合部材をさらに含むことを特徴とする請求項１に記載の発光ダイオードランプ。
【請求項３】
前記第１及び第２トップ部のうち少なくとも一つから離隔され、前記第１トップ部に隣接して配置された第４トップ部をさらに含み、前記第１及び第２トップ部は、前記第３及び第４トップ部の間に配置されたことを特徴とする請求項１に記載の発光ダイオードランプ。
【請求項４】
前記第１及び第２トップ部のうち少なくとも一つと前記第４トップ部とを熱的に結合する熱結合部材をさらに含むことを特徴とする請求項３に記載の発光ダイオードランプ。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
スクリーン印刷装置の下流側に基板搬送路を２つ備えた部品実装装置を連結した部品実装ラインであって、
前記スクリーン印刷装置は、部品実装ラインの基板の搬送方向に延びた垂直対称面に対して対称な位置に設けられ基板にスクリーン印刷を実行する２つの印刷実行部と、
２つの印刷実行部のそれぞれに対応して設けられ、上流側から基板を受け取って印刷実行部に対する基板の位置決めを行い、この印刷実行部でスクリーン印刷が実行された基板の下流側への移動を行う基板移動ステージとを備え、
印刷実行部によるスクリーン印刷が終了すると、基板移動ステージにより印刷実行部からこの印刷実行部よりも垂直対称面に近接した位置に設けられた基板搬出のための位置へ基板を移動させ、
スクリーン印刷装置の２つの基板移動ステージの一方側から搬出された基板を、部品実装装置の２つの基板搬送路の一方側に受け渡されることを特徴とする部品実装ライン。
【請求項２】
スクリーン印刷装置の下流側に基板搬送路を２つ備えた部品実装装置を連結した部品実装ラインによる部品実装方法であって、
前記スクリーン印刷装置は、部品実装ラインの基板の搬送方向に延びた垂直対称面に対して対称な位置に設けられ基板にスクリーン印刷を実行する２つの印刷実行部と、
２つの印刷実行部のそれぞれに対応して設けられ、上流側から基板を受け取って印刷実行部に対する基板の位置決めを行い、この印刷実行部でスクリーン印刷が実行された基板の下流側への移動を行う基板移動ステージとを備え、
印刷実行部によるスクリーン印刷が終了すると、基板移動ステージにより印刷実行部からこの印刷実行部よりも垂直対称面に近接した位置に設けられた基板搬出のための位置へ基板を移動させ、
スクリーン印刷装置の２つの基板移動ステージの一方側から搬出された基板を、部品実装装置の２つの基板搬送路の一方側に受け渡されることを特徴とする部品実装方法。
【手続補正２】
【補正対象書類名】明細書
【補正対象項目名】０００８
【補正方法】変更
【補正の内容】
【０００８】
請求項１に記載の部品実装ラインは、スクリーン印刷装置の下流側に基板搬送路を２つ備えた部品実装装置を連結した部品実装ラインであって、前記スクリーン印刷装置は、部品実装ラインの基板の搬送方向に延びた垂直対称面に対して対称な位置に設けられ基板にスクリーン印刷を実行する２つの印刷実行部と、２つの印刷実行部のそれぞれに対応して設けられ、上流側から基板を受け取って印刷実行部に対する基板の位置決めを行い、この印刷実行部でスクリーン印刷が実行された基板の下流側への移動を行う基板移動ステージとを備え、印刷実行部によるスクリーン印刷が終了すると、基板移動ステージにより印刷実行部からこの印刷実行部よりも垂直対称面に近接した位置に設けられた基板搬出のための位置へ基板を移動させ、スクリーン印刷装置の２つの基板移動ステージの一方側から搬出された基板を、部品実装装置の２つの基板搬送路の一方側に受け渡される。
【手続補正３】
【補正対象書類名】明細書
【補正対象項目名】０００９
【補正方法】変更
【補正の内容】
【０００９】
請求項２に記載の部品実装方法は、スクリーン印刷装置の下流側に基板搬送路を２つ備えた部品実装装置を連結した部品実装ラインによる部品実装方法であって、前記スクリーン印刷装置は、部品実装ラインの基板の搬送方向に延びた垂直対称面に対して対称な位置に設けられ基板にスクリーン印刷を実行する２つの印刷実行部と、２つの印刷実行部のそれぞれに対応して設けられ、上流側から基板を受け取って印刷実行部に対する基板の位置決めを行い、この印刷実行部でスクリーン印刷が実行された基板の下流側への移動を行う基板移動ステージとを備え、印刷実行部によるスクリーン印刷が終了すると、基板移動ステージにより印刷実行部からこの印刷実行部よりも垂直対称面に近接した位置に設けられた基板搬出のための位置へ基板を移動させ、スクリーン印刷装置の２つの基板移動ステージの一方側から搬出された基板を、部品実装装置の２つの基板搬送路の一方側に受け渡される。
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
平均粒子径（Ｄ５０）が０．５〜５μｍであり、Ｘ線回折測定によるα−Ｆｅの（１１０）回折線の半値幅が０．２〜５．０°であり、Ｆｅ含有量が９７．０質量％以上である、軟磁性金属粉末を含有し、
酸素含有量が２．０質量％以上である、
圧粉磁心。
【請求項２】
前記軟磁性金属粉末のカーボン含有量が０．１〜１．５質量％である、
請求項１に記載の圧粉磁心。
【請求項３】
前記軟磁性金属粉末の飽和磁化σｓが２００ｅｍｕ／ｇ以上である、
請求項１又は２に記載の圧粉磁心。
【請求項４】
前記軟磁性金属粉末の表面の少なくとも一部を厚さ１０〜１０００ｎｍで被覆する絶縁性樹脂を更に含有する、
請求項１〜３にいずれか一項記載の圧粉磁心。
【請求項５】
前記軟磁性金属粉末がボルテックス構造を有する、
請求項１〜４のいずれか一項に記載の圧粉磁心。
【請求項６】
電気抵抗率が０．０５Ωｃｍ以上である、
請求項１〜５のいずれか一項に記載の圧粉磁心。
【手続補正書】
【提出日】平成24年9月20日(2012.9.20)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１のメモリセルと第２のメモリセルとを有する半導体装置であって、
前記第１のメモリセル及び前記第２のメモリセルはそれぞれ、
第１のトランジスタと、
前記第１のトランジスタと電気的に接続された第２のトランジスタとを有し、
前記第１のメモリセルが有する第２のトランジスタのソースと電気的に接続される電極は、前記第２のメモリセルが有する第２のトランジスタのドレインと電気的に接続することができ、
前記第２のトランジスタは、酸化物半導体層と、前記酸化物半導体層上のゲート絶縁膜と、前記ゲート絶縁膜上のゲート電極とを有することを特徴とする半導体装置。